(57)【要約】【課題】出力電圧の調整範囲の拡大を図る。【解決手段】電源装置１は、第１の直流電圧Ｖ１を第２の直流電圧Ｖ２に変換する直流変換部２と、直流変換部２を制御して第２の直流電圧Ｖ２を調整する制御部３とを備える。直流変換部２は、出力用の変圧器Ｔ１を有する共振形コンバータ２０と、変圧器Ｔ１の巻数比を調整する巻数比調整部２１とを有する。制御部３は、共振形コンバータ２０の動作周波数ｆを変化させることによって第２の直流電圧Ｖ２を調整する。制御部３は、巻数比調整部２１に変圧器Ｔ１の巻数比を調整させる。【選択図】        図１
2020107434.tif 000002
【特許請求の範囲】
【請求項１】
第１の直流電圧を第２の直流電圧に変換する直流変換部と、
前記直流変換部を制御して前記第２の直流電圧を調整する制御部と、
を備え、
前記直流変換部は、
出力用の変圧器を有する共振形コンバータと、
前記変圧器の巻数比を調整する巻数比調整部と、
を有し、
前記制御部は、前記共振形コンバータの動作周波数を変化させることによって前記第２の直流電圧を調整し、かつ、前記巻数比調整部に前記変圧器の巻数比を調整させる、
電源装置。
【請求項２】
前記制御部は、前記共振形コンバータの動作周波数を前記巻数比における上限の周波数としても前記第２の直流電圧が目標とする電圧に達しない場合に、前記巻数比調整部に前記巻数比を調整させる、
請求項１記載の電源装置。
【請求項３】
前記共振形コンバータは、前記変圧器が出力する交流電圧を整流する整流回路を有し、
前記変圧器は、一つ以上のタップが設けられた出力巻線を有し、
前記巻数比調整部は、前記一つ以上のタップと前記整流回路の入力端子を電気的に接続する接続状態と電気的に接続しない非接続状態に択一的に切り替える、
請求項１又は２記載の電源装置。
【請求項４】
電力系統から入力される交流電圧を前記第１の直流電圧に変換する交直変換部を備え、
前記制御部は、前記交直変換部を制御して前記第１の直流電圧を調整する、
請求項１〜３のいずれか１項に記載の電源装置。
【請求項５】
前記制御部は、前記共振形コンバータの動作周波数を前記巻数比における上限の周波数としても前記第２の直流電圧が目標とする電圧に達しない場合に、前記巻数比調整部に前記巻数比を調整させ、かつ、前記交直変換部を制御して前記第１の直流電圧を調整する、
請求項４記載の電源装置。
【請求項６】
前記制御部は、前記共振形コンバータの動作周波数を前記巻数比における上限の周波数としても前記第２の直流電圧が目標とする電圧に達しない場合に、前記交直変換部を制御して前記第１の直流電圧を調整する、
請求項４記載の電源装置。
【請求項７】
請求項１〜６のいずれかの電源装置を複数備えるとともに、
複数の照明負荷と、
前記複数の電源装置の出力する直流電力を前記複数の照明負荷に供給するための給電路と、
を備え、
前記複数の電源装置は、前記給電路の第１端に電気的に並列接続され、
前記複数の照明負荷は、前記給電路の第２端に電気的に並列接続又は直列接続される、
照明システム。
【請求項８】
前記複数の照明負荷は、前記給電路の第２端に電気的に直列接続され、
前記複数の照明負荷の各々は、複数の固体光源を有しており、
前記複数の照明負荷のうちの一部の照明負荷は、前記複数の固体光源のうちの一部の固体光源が電気的に直列接続された固体光源モジュールを複数有し、
前記複数の固体光源モジュールが電気的に並列接続されている、
請求項７記載の照明システム。
【発明の詳細な説明】
【技術分野】
【０００１】
本開示は、電源装置及び照明システムに関し、より詳細には、出力電圧が可変である電源装置及び当該電源装置を備える照明システムに関する。
【背景技術】
【０００２】
従来例として特許文献１記載のＬＥＤ点灯装置（電源装置）を例示する。特許文献１記載のＬＥＤ点灯装置は、力率改善用のＰＦＣ回路と、ＰＦＣ回路から出力される一定の直流電圧を入力とする電流共振コンバータ回路とを備える。電流共振コンバータ回路は、直流電圧を第１のスイッチング素子と第２のスイッチング素子で交互にスイッチングさせ、第１のインダクタと第２のインダクタのインダクタ成分と第１のコンデンサのキャパシタ成分により共振させる。電流共振コンバータ回路は、第２のインダクタに発生する磁束に応じた誘導電力を、第三のインダクタに伝送して、ダイオードブリッジにより整流する回路からなる。従来例のＬＥＤ点灯装置は、電流共振コンバータ回路の発振周波数（第１及び第２のスイッチング素子のスイッチング周波数）を変化させることによってＬＥＤを調光することができる。
【先行技術文献】
【特許文献】
【０００３】
【特許文献１】特開２０１５−１４９１３６号公報
【発明の概要】
【発明が解決しようとする課題】
【０００４】
上記従来例の電流共振コンバータ回路の出力電圧は、その発振周波数が高くなるにつれて（共振周波数から離れるにつれて）低下する。しかしながら、電流共振コンバータ回路の発振周波数は、第１及び第２のスイッチング素子を駆動する駆動回路の能力に応じた上限の周波数までしか変化させることができない。そのため、上記従来例では、ＬＥＤの調光範囲（出力電圧の調整範囲）を広げることが困難であった。
【０００５】
本開示の目的は、出力電圧の調整範囲の拡大を図ることができる電源装置及び照明システムを提供することである。
【課題を解決するための手段】
【０００６】
本開示の一態様に係る電源装置は、第１の直流電圧を第２の直流電圧に変換する直流変換部と、前記直流変換部を制御して前記第２の直流電圧を調整する制御部とを備える。前記直流変換部は、出力用の変圧器を有する共振形コンバータと、前記変圧器の巻数比を調整する巻数比調整部とを有する。前記制御部は、前記共振形コンバータの動作周波数を変化させることによって前記第２の直流電圧を調整する。前記制御部は、前記巻数比調整部に前記変圧器の巻数比を調整させる。
【０００７】
本開示の一態様に係る照明システムは、前記電源装置を複数備えるとともに、複数の照明負荷と、前記複数の電源装置の出力する直流電力を前記複数の照明負荷に供給するための給電路とを備える。前記複数の電源装置は、前記給電路の第１端に電気的に並列接続される。前記複数の照明負荷は、前記給電路の第２端に電気的に並列接続又は直列接続される。
【発明の効果】
【０００８】
本開示の電源装置及び照明システムは、出力電圧の調整範囲の拡大を図ることができるという効果がある。
【図面の簡単な説明】
【０００９】
【図１】図１は、本開示の実施形態に係る電源装置の回路構成図である。
【図２】図２は、同上の電源装置における共振形コンバータの出力特性を示す図である。
【図３】図３は、同上の電源装置における共振形コンバータの動作周波数と調光レベルとの関係を示す図である。
【図４】図４は、本開示の実施形態に係る照明システムのシステム構成図である。
【図５】図５は、同上の照明システムにおける照明器具の回路構成図である。
【図６】図６は、同上の照明システムの回路構成図である。
【図７】図７は、同上の照明システムにおける共振形コンバータの動作周波数と調光レベルとの関係を示す図である。
【図８】図８は、同上の照明システムの変形例のシステム構成図である。
【発明を実施するための形態】
【００１０】
本発明に係る電源装置の実施形態及び照明システムの実施形態について図面を参照して詳細に説明する。ただし、下記の実施形態において説明する各図は模式的な図であり、各構成要素の大きさ及び厚さのそれぞれの比が必ずしも実際の寸法比を反映しているとは限らない。なお、以下の実施形態で説明する構成は本開示の一例にすぎない。本開示は、以下の実施形態に限定されず、本開示の効果を奏することができれば、設計等に応じて種々の変更が可能である。
【００１１】
実施形態に係る電源装置１（以下、電源装置１と略す。）は、図１に示すように、直流変換部２と、制御部３とを備える。直流変換部２は、定電圧源１２から入力する第１の直流電圧Ｖ１を第２の直流電圧Ｖ２に変換（昇圧又は降圧）する。制御部３は、直流変換部２を制御して第２の直流電圧Ｖ２を変化させる。制御部３は、例えば、マイクロコントローラを有する。制御部３は、制御用のプログラムをマイクロコントローラで実行することにより、後述する種々の制御を行う。
【００１２】
電源装置１は、直流変換部２から出力する第２の直流電圧Ｖ２を複数の照明負荷（図示例では２台の照明器具４）に印加する。２台の照明器具４は、第２の直流電圧Ｖ２が印加されることによって点灯する。なお、２台の照明器具４は、電源装置１に対して電気的に直列接続されている。したがって、第２の直流電圧Ｖ２は、２台の照明器具４のそれぞれの点灯開始電圧を合計した電圧よりも高くなければならない。また、電源装置１において、信号線８０を介してコントローラ８から受け取る指令に基づいて制御部３が直流変換部２を制御し、第２の直流電圧Ｖ２を調整して各照明器具４を調光する。なお、以下の説明において、２台の照明器具４を第１の照明器具４Ａ、第２の照明器具４Ｂと呼ぶ場合がある。
【００１３】
直流変換部２は、共振形コンバータ２０と、巻数比調整部２１とを有する。共振形コンバータ２０は、いわゆるＬＬＣ電流共振形コンバータである。共振形コンバータ２０は、二つのスイッチング素子Ｑ１、Ｑ２を電気的に直列接続したハーフブリッジ回路と、共振用のコンデンサＣ１、Ｃ２及びインダクタＬ１と、変圧器Ｔ１と、整流回路ＤＢと、平滑用のコンデンサＣ３とを有する。二つのスイッチング素子Ｑ１、Ｑ２は、Ｎチャネル・エンハンスメント形のＭＯＳＦＥＴ（metal-oxide-semiconductor field-effect transistor）である。ただし、スイッチング素子Ｑ１、Ｑ２は、バイポーラトランジスタなどのＭＯＳＦＥＴ以外のパワートランジスタであっても構わない。また、共振形コンバータ２０は、ハーフブリッジ回路の代わりに、四つのスイッチング素子をブリッジ接続したフルブリッジ回路を有していても構わない。
【００１４】
下アームのスイッチング素子Ｑ２に、共振用のコンデンサＣ１、Ｃ２、インダクタＬ１及び変圧器Ｔ１の入力巻線Ｎ１が電気的に接続される。変圧器Ｔ１は、三つの出力巻線（第１出力巻線Ｎ２１、第２出力巻線Ｎ２２及び第３出力巻線Ｎ２３）と、三つのタップ（第１タップＸ１、第２タップＸ２及び第３タップＸ３）とを有する。第１出力巻線Ｎ２１の第１端に第１タップＸ１が設けられ、第１出力巻線Ｎ２１の第２端と第２出力巻線Ｎ２２の第１端の接続部分に第２タップＸ２が設けられている。第３タップＸ３は、第２出力巻線Ｎ２２の第２端と第３出力巻線Ｎ２３の第１端の接続点に設けられている。なお、第３出力巻線Ｎ２３の第２端は整流回路ＤＢの第２の交流入力端子Ｋ１２と電気的に接続されている。整流回路ＤＢの脈流出力端子Ｋ２１、Ｋ２２間には平滑用のコンデンサＣ３が電気的に接続されている。
【００１５】
巻数比調整部２１は、三つのスイッチ（第１スイッチＳ１、第２スイッチＳ２及び第３スイッチＳ３）と、これら三つのスイッチを駆動するスイッチ駆動回路２１０とを有する。
【００１６】
第１スイッチＳ１、第２スイッチＳ２及び第３スイッチＳ３はそれぞれ、電磁リレー又はソリッドステート・リレー（SSR:Solid State Relay）で構成される。第１スイッチＳ１は、第１タップＸ１と整流回路ＤＢの第１の交流入力端子Ｋ１１の間に挿入されている。第２スイッチＳ２は、第２タップＸ２と整流回路ＤＢの第１の交流入力端子Ｋ１１の間に挿入されている。第３スイッチＳ３は、第３タップＸ３と整流回路ＤＢの第１の交流入力端子Ｋ１１の間に挿入されている。
【００１７】
スイッチ駆動回路２１０は、制御部３の指示に応じて、第１スイッチＳ１、第２スイッチＳ２及び第３スイッチＳ３を択一的にオンする。スイッチ駆動回路２１０が第１スイッチＳ１をオンしている場合、変圧器Ｔ１の巻数比が最も高い巻数比（第１巻数比）に調整される。また、スイッチ駆動回路２１０が第３スイッチＳ３をオンしている場合、変圧器Ｔ１の巻数比が最も低い巻数比（第３巻数比）に調整される。さらに、スイッチ駆動回路２１０が第２スイッチＳ２をオンしている場合、変圧器Ｔ１の巻数比が第１巻数比と第３巻数比の中間の巻数比（第２巻数比）に調整される。すなわち、巻数比調整部２１は、スイッチ駆動回路２１０に第１スイッチＳ１、第２スイッチＳ２及び第３スイッチＳ３を択一的にオンさせることにより、変圧器Ｔ１の巻数比を第１巻数比、第２巻数比及び第３巻数比の３種類の巻数比に調整することができる。
【００１８】
共振形コンバータ２０において、二つのスイッチング素子Ｑ１、Ｑ２は、駆動回路２２によって相補的にスイッチングされる。制御部３は、駆動回路２２を介して二つのスイッチング素子Ｑ１、Ｑ２をＰＦＭ（Pulse Frequency Modulation：パルス周波数変調）制御することにより、第１の直流電圧Ｖ１を方形パルス状の電圧に変換する。そして、共振用のコンデンサＣ１、Ｃ２、インダクタＬ１及び変圧器Ｔ１の入力巻線Ｎ１の直列共振回路により、前記方形パルス状の電圧が、ＰＦＭ制御のスイッチング周波数に応じた周波数の正弦波電圧に変換される。この正弦波電圧は、変圧器Ｔ１によって変圧され、整流回路ＤＢで全波整流された後、コンデンサＣ３で平滑化されて第２の直流電圧Ｖ２に変換される。なお、変圧器Ｔ１で変圧された後の電圧（変圧器Ｔ１の２次電圧）は、変圧器Ｔ１の巻数比（出力巻線の巻回数／入力巻線の巻回数）が高くなるにつれて大きくなる。
【００１９】
ここで、共振形コンバータ２０は、図２に実線で示す出力特性を有している。図２の横軸は共振形コンバータ２０の動作周波数ｆ（駆動回路２２がスイッチング素子Ｑ１、Ｑ２をスイッチングする周波数）である。図２の縦軸は共振形コンバータ２０の出力比（Ｖ２／Ｖ１）である。共振形コンバータ２０の出力比は、動作周波数ｆが前記直列共振回路の共振周波数ｆ０に一致するときに最大となり、動作周波数ｆが共振周波数ｆ０から離れるにつれて低下する。そこで、電源装置１においては、共振周波数ｆ０よりも高い周波数範囲ＦＡ（第１周波数ｆ１から第２周波数ｆ２までの範囲）で共振形コンバータ２０の動作周波数ｆを変化させることにより、第２の直流電圧Ｖ２を調整する。また、制御部３は、駆動回路２２を介して二つのスイッチング素子Ｑ１、Ｑ２をＰＦＭ制御することにより、照明器具４（第１の照明器具４Ａ及び第２の照明器具４Ｂ）に流れる電流を定電流制御することが好ましい。なお、共振周波数ｆ０よりも低い動作周波数ｆで共振形コンバータ２０を動作させた場合、二つのスイッチング素子Ｑ１、Ｑ２に貫通電流が流れてスイッチング素子Ｑ１、Ｑ２が損傷するおそれがある。
【００２０】
制御部３は、コントローラ８から受け取る指令（調光レベル）に基づき、駆動回路２２を介して動作周波数ｆを調整して第２の直流電圧Ｖ２を調整する。調光レベルは、電源装置１から出力される第２の直流電圧Ｖ２と照明器具４の定格電圧との電圧比に対応する。つまり、第２の直流電圧Ｖ２が照明器具４の定格電圧に等しいときの調光レベルが１００％となり、第２の直流電圧Ｖ２が低下するにつれて調光レベルが低下して照明器具４の光量が減少する。
【００２１】
ところで、周波数範囲ＦＡに対応した出力比の調整可能な範囲（出力可変範囲ＶＡ：図２参照）は、照明器具４の調光可能な範囲よりも狭い。そこで、制御部３は、共振形コンバータ２０の動作周波数ｆを巻数比における上限の周波数（第２周波数ｆ２）としても第２の直流電圧Ｖ２が調光レベルに対応した電圧に達しない場合に、巻数比調整部２１に巻数比を調整させることが好ましい。制御部３が巻数比調整部２１によって変圧器Ｔ１の巻数比を調整することにより、周波数範囲ＦＡを拡大せずに調光レベルの調整可能な範囲を拡大することができる。
【００２２】
例えば、制御部３は、図３に示すように、調光レベルを１００％〜６６％の範囲で調整する場合、巻数比調整部２１に変圧器Ｔ１の巻数比を最も高い第１巻数比に調整させる。言い換えると、変圧器Ｔ１の巻数比が第１巻数比に調整されている場合、動作周波数ｆの周波数範囲ＦＡ内で調整可能な調光レベルの範囲が１００％〜６６％に限定される。しかしながら、変圧器Ｔ１の巻数比が第２巻数比に調整されると、動作周波数ｆの周波数範囲ＦＡ内で出力される第２の直流電圧Ｖ２が低下するので、調整可能な調光レベルの範囲も６６％〜３３％に低下する。さらに、変圧器Ｔ１の巻数比が第３巻数比に調整されると、動作周波数ｆの周波数範囲ＦＡ内で出力される第２の直流電圧Ｖ２が更に低下するので、調整可能な調光レベルの範囲も３３％〜２２％に低下する（図３参照）。
【００２３】
ここで、制御部３は、１００％〜２２％の範囲の調光レベルに対応する変圧器Ｔ１の巻数比及び動作周波数ｆの組合せを表したデータテーブルをメモリ（不揮発性の半導体メモリ）に記憶することが好ましい。制御部３は、コントローラ８から指令（調光レベル）を受け取ると、当該調光レベルに対応する変圧器Ｔ１の巻数比及び動作周波数ｆの組合せをデータテーブルから読み取る。制御部３は、巻数比調整部２１を制御してデータテーブルから読み取った変圧器Ｔ１の巻数比に調整し、かつ、共振形コンバータ２０の動作周波数ｆをデータテーブルから読み取った動作周波数ｆに一致させる。その結果、電源装置１は、巻数比調整部２１に変圧器Ｔ１の巻数比を調整させることにより、共振形コンバータ２０の動作周波数ｆの周波数範囲ＦＡを拡大せずに第２の直流電圧Ｖ２の調整範囲（調光レベルの調整範囲）の拡大を図ることができる。
【００２４】
次に、実施形態に係る照明システム５について図面を参照して詳細に説明する。照明システム５は、図４に示すように、複数（図示例では３台）の照明器具４と、点灯ユニット１０とを備える。
【００２５】
３台の照明器具４は、例えば、競技場を照明する用途に用いられる投光器であり、照明柱などの先端（高所）に設置される。なお、以下の説明において、３台の照明器具４を第１の照明器具４Ａ、第２の照明器具４Ｂ、及び第３の照明器具４Ｃと呼ぶ場合がある。
【００２６】
３台の照明器具４はそれぞれ、図５に示すように、複数（図示例では３個）のＬＥＤ（Light Emitting Diode）４１を順方向に直列接続したＬＥＤモジュール４０を複数（図示例では２個）有する。これら３台の照明器具４は、電気的に直列接続されている。このように各照明器具４においては、定格電圧を下げるために、ＬＥＤモジュール４０を複数（例えば、２個ずつ）有し、これら複数のＬＥＤモジュール４０が電気的に並列接続されることが好ましい（図５参照）。各照明器具４が上述のように構成されれば、定格電圧を変えずに光束を増加させることができる。ただし、ＬＥＤモジュール４０に含まれる複数個のＬＥＤ４１のＶＦランクをそろえることが好ましい。つまり、同じメーカ製の同じＶＦランクに属する複数個のＬＥＤ４１によって複数のＬＥＤモジュール４０が構成されれば、順方向電圧のばらつき（定格電圧のばらつき）を抑制することができる。なお、照明器具４は、ＬＥＤ４１に代えて有機エレクトロルミネッセンス素子（ＯＬＥＤ：Organic Light Emitting Diodeとも呼ばれる。）又は半導体レーザなどの固体光源を有していても構わない。ただし、照明負荷とする固体光源は、ＬＥＤ及び有機エレクトロルミネッセンス素子のように、電圧−電流特性が定電圧特性に近い特性（電圧変化に対する電流変化の割合が数十倍以上になるような特性）を有することが好ましい。
【００２７】
点灯ユニット１０は、例えば、競技場に設けられた建物の中に設置される。ただし、照明システム５が有する照明器具４の台数及び点灯ユニット１０の台数は、それぞれ３台及び１台に限定されない。
【００２８】
点灯ユニット１０は、図４に示すように、複数（図示例では３台）の電源装置１と、１本の電源ケーブル６とを備える。３台の電源装置１は、ケース１１に収容されている。ケース１１は、電気的な導体（例えば、金属）によって箱形に形成されている。なお、ケース１１は、安定電位を有する場所（例えば、大地）に接地されることが好ましい。
【００２９】
電源ケーブル６は、第１電源線６１及び第２電源線６２と、これら２本の電源線６１、６２を被覆するシース６３とを有する。第１電源線６１の第１端は、ケース１１内において、逆流阻止用のダイオードＤ１１、Ｄ１２、Ｄ１３を介して各電源装置１の高電位側の出力端子に分岐接続される。第２電源線６２の第１端は、ケース１１内において各電源装置１の低電位側の出力端子に分岐接続される。また、第１電源線６１の第２端は、第１の照明器具４Ａの正極と電気的に接続される。第２電源線６２の第２端は、第３の照明器具４Ｃの負極と電気的に接続される。さらに、第１の照明器具４Ａの負極に第２の照明器具４Ｂの正極が電気的に接続され、第２の照明器具４Ｂの負極が第３の照明器具４Ｃの正極と電気的に接続される。つまり、３台の照明器具４Ａ〜４Ｃは、第１電源線６１の第２端と第２電源線６２の第２端の間に電気的に直列接続されている（図４参照）。
【００３０】
ここで、投光器を点灯させる点灯ユニット１０が投光器とともに高所に設置された場合、点灯ユニット１０のメンテナンス作業が高所での作業となってしまい、メンテナンス作業を行う作業員に大きな負担がかかってしまう。これに対して、照明システム５では、点灯ユニット１０を照明器具４から離れた場所に設置することができるため、点灯ユニット１０を照明器具４と同じく高所に設置する場合に比べて、メンテナンス作業の作業性の向上を図ることができる。しかも、１台の点灯ユニット１０と複数台（図示例では３台）の照明器具４を１本の電源ケーブル６で接続しているので、省配線化を図ることができる。
【００３１】
また、点灯ユニット１０においては、３台の電源装置１と第１電源線６１及び第２電源線６２がケース１１内に収容されている。例えば、ケース１１を防水構造とすることにより、複数の電源装置１のそれぞれに防水構造を設ける必要がなくなる。その結果、照明システム５は、防水性能を確保するための製造コストの低減を図ることができる。また、照明システム５では、ケース１１が電気的な導体（金属）で形成されているので、点灯ユニット１０から発生する高周波ノイズが輻射ノイズとしてケース１１の外に漏れることを抑制できる。
【００３２】
コントローラ８は、点灯ユニット１０と信号線８０を介して電気的に接続される。コントローラ８は、信号線８０を介して調光信号を送信する。コントローラ８は、例えば、調光信号としてＰＷＭ（Pulse Width Modulation：パルス幅変調）信号を点灯ユニット１０に送信する。すなわち、コントローラ８は、調光信号（ＰＷＭ信号）のデューティ比によって点灯ユニット１０に調光レベルを指示する。
【００３３】
一方、点灯ユニット１０は、コントローラ８から送信される調光信号を各電源装置１の制御部３で受信する。電源装置１の制御部３は、受信した調光信号から調光レベルを読み取る。電源装置１の制御部３は、読み取った調光レベルに応じて、第２の直流電圧Ｖ２を調整して照明器具４を調光する。
【００３４】
次に、図６を参照して照明システム５の具体的なシステム構成を説明する。
【００３５】
照明システム５は、例えば、商用の電力系統７から供給される交流電力を直流電力に電力変換して照明負荷（照明器具４）に供給する。なお、以下の説明においては、３台の電源装置１を区別するために、第１の電源装置１Ａ、第２の電源装置１Ｂ、及び第３の電源装置１Ｃと呼ぶ場合がある。ただし、３台の電源装置１の回路構成のうち、直流変換部２については既に説明しているので、直流変換部２の回路構成についての図示及び説明を省略する。
【００３６】
電源装置１（第１の電源装置１Ａ、第２の電源装置１Ｂ、及び第３の電源装置１Ｃ）は、定電圧源１２として、交直変換部１３とフィルタ１４を備えている。
【００３７】
交直変換部１３は、例えば、整流回路、平滑コンデンサ、及び昇圧チョッパ回路（力率改善回路）を有する。交直変換部１３は、昇圧チョッパ回路のスイッチング素子が制御部３によってＰＷＭ制御されることにより、定電圧化された第１の直流電圧Ｖ１を直流変換部２に出力する。ただし、交直変換部１３から出力される第１の直流電圧Ｖ１は、制御部３によって調整可能である。
【００３８】
フィルタ１４は、電力系統７から電源装置１に入力するノイズ（ノーマルモードノイズ及びコモンモードノイズ）及び交直変換部１３から電力系統７に出力されるノイズをフィルタリングする。
【００３９】
なお、３台の電源装置１のそれぞれが交直変換部１３及びフィルタ１４を一つずつ備える代わりに、３台の電源装置１が一つの交直変換部１３及びフィルタ１４を共用しても構わない。
【００４０】
また、第１の電源装置１Ａ、第２の電源装置１Ｂ、及び第３の電源装置１Ｃは、一つの制御部３を共用しても構わない（図６参照）。
【００４１】
ところで、制御部３は、動作周波数ｆを第２周波数ｆ２に調整しても第２の直流電圧Ｖ２が目標とする電圧に達しない場合に、巻数比調整部２１に巻数比を調整させ、かつ、交直変換部１３を制御して第１の直流電圧Ｖ１を調整することが好ましい。例えば、変圧器Ｔ１の巻数比が第３巻数比に調整されているとき、動作周波数ｆが周波数範囲ＦＡの上限（第２周波数ｆ２）に設定されても、調光レベル（第２の直流電圧Ｖ２）を２２％未満に下げることができない。そこで、制御部３は、交直変換部１３を制御して第１の直流電圧Ｖ１を低下させる。第１の直流電圧Ｖ１が低下すれば、制御部３は、変圧器Ｔ１の巻数比を第３巻数比とした状態で動作周波数ｆを周波数範囲ＦＡ内で調整することにより、調光レベルを２２％から５％の範囲で調整することができる（図７参照）。
【００４２】
上述のように電源装置１は、交直変換部１３によって第１の直流電圧Ｖ１を調整することにより、変圧器Ｔ１の巻数比及び共振形コンバータ２０の動作周波数ｆによって調整可能な第２の直流電圧Ｖ２の範囲を拡大することができる。
【００４３】
ここで、照明システム５の変形例のシステム構成について、図８を参照して説明する。図８に示す変形例の照明システム５は、３台の照明器具４が点灯ユニット１０に対して、１本の電源ケーブル６を介して電気的に並列接続されている。３台の照明器具４が電気的に並列接続される場合、３台の照明器具４が電気的に直列接続される場合に比べて、３台の照明器具４に出力すべき第２の直流電圧Ｖ２を下げることができる。
【００４４】
上述のように第１の態様に係る電源装置（１）は、第１の直流電圧（Ｖ１）を第２の直流電圧（Ｖ２）に変換する直流変換部（２）と、直流変換部（２）を制御して第２の直流電圧（Ｖ２）を調整する制御部（３）とを備える。直流変換部（２）は、出力用の変圧器（Ｔ１）を有する共振形コンバータ（２０）と、変圧器（Ｔ１）の巻数比を調整する巻数比調整部（２１）とを有する。制御部（３）は、共振形コンバータ（２０）の動作周波数（ｆ）を変化させることによって第２の直流電圧（Ｖ２）を調整する。制御部（３）は、巻数比調整部（２１）に変圧器（Ｔ１）の巻数比を調整させる。
【００４５】
第１の態様に係る電源装置（１）は、変圧器（Ｔ１）の巻数比が変化することにより、共振形コンバータ（２０）の動作周波数（ｆ）の調整によって調整可能な出力電圧（第２の直流電圧（Ｖ２））の調整範囲の拡大を図ることができる。
【００４６】
第２の態様に係る電源装置（１）は、第１の態様との組合せにより実現され得る。第２の態様に係る電源装置（１）において、制御部（３）は、共振形コンバータ（２０）の動作周波数（ｆ）を巻数比における上限の周波数（第２周波数ｆ２）としても第２の直流電圧（Ｖ２）が目標とする電圧に達しない場合に、巻数比調整部（２１）に巻数比を調整させることが好ましい。
【００４７】
第２の態様に係る電源装置（１）は、動作周波数（ｆ）の調整範囲に対する第２の直流電圧（Ｖ２）の調整範囲を最大限に拡大することができる。
【００４８】
第３の態様に係る電源装置（１）は、第１又は第２の態様との組合せにより実現され得る。第３の態様に係る電源装置（１）において、共振形コンバータ（２０）は、変圧器（Ｔ１）が出力する交流電圧を整流する整流回路（ＤＢ）を有することが好ましい。変圧器（Ｔ１）は、一つ以上のタップ（Ｘ１；Ｘ２；Ｘ３）が設けられた出力巻線（Ｎ２１；Ｎ２２；Ｎ２３）を有することが好ましい。巻数比調整部（２１）は、一つ以上のタップと整流回路（ＤＢ）の入力端子を電気的に接続する接続状態と電気的に接続しない非接続状態に択一的に切り替えることが好ましい。
【００４９】
第３の態様に係る電源装置（１）は、巻数比調整部（２１）による巻数比を簡単に調整することができる。
【００５０】
第４の態様に係る電源装置（１）は、第１〜第３の態様のいずれかとの組合せにより実現され得る。第４の態様に係る電源装置（１）において、電力系統（７）から入力される交流電圧を第１の直流電圧（Ｖ１）に変換する交直変換部（１３）を備えることが好ましい。制御部（３）は、交直変換部（１３）を制御して第１の直流電圧（Ｖ１）を調整することが好ましい。
【００５１】
第４の態様に係る電源装置（１）は、第１の直流電圧（Ｖ１）を調整することにより、共振形コンバータ（２０）の動作周波数（ｆ）の調整によって調整可能な出力電圧（第２の直流電圧（Ｖ２））の調整範囲の更なる拡大を図ることができる。
【００５２】
第５の態様に係る電源装置（１）は、第４の態様との組合せにより実現され得る。第５の態様に係る電源装置（１）において、制御部（３）は、共振形コンバータ（２０）の動作周波数（ｆ）を巻数比における上限の周波数としても第２の直流電圧（Ｖ２）が目標とする電圧に達しない場合に、巻数比調整部（２１）に巻数比を調整させることが好ましい。共振形コンバータ（２０）の動作周波数（ｆ）を巻数比における上限の周波数としても第２の直流電圧（Ｖ２）が目標とする電圧に達しない場合に、制御部（３）は、交直変換部（１３）を制御して第１の直流電圧（Ｖ１）を調整することが好ましい。
【００５３】
第５の態様に係る電源装置（１）は、動作周波数（ｆ）の調整範囲に対する第２の直流電圧（Ｖ２）の調整範囲を最大限に拡大することができる。
【００５４】
第６の態様に係る電源装置（１）は、第４の態様との組合せにより実現され得る。第６の態様に係る電源装置（１）において、制御部（３）は、共振形コンバータ（２０）の動作周波数（ｆ）を巻数比における上限の周波数としても第２の直流電圧（Ｖ２）が目標とする電圧に達しない場合に、交直変換部（１３）を制御して第１の直流電圧（Ｖ１）を調整することが好ましい。
【００５５】
第６の態様に係る電源装置（１）は、動作周波数（ｆ）の調整範囲に対する第２の直流電圧（Ｖ２）の調整範囲を最大限に拡大することができる。
【００５６】
第７の態様に係る照明システム（５）は、第１〜第６の態様のいずれかの電源装置（１）を複数備える。第７の態様に係る照明システム（５）は、複数の照明負荷（照明器具４）と、複数の電源装置（１）の出力する直流電力を複数の照明負荷に供給するための給電路（電源ケーブル６）とを備える。複数の電源装置（１）は、給電路の第１端に電気的に並列接続される。複数の照明負荷は、給電路の第２端に電気的に並列接続又は直列接続される。
【００５７】
第７の態様に係る照明システム（５）は、共振形コンバータ（２０）の動作周波数（ｆ）の調整によって調整可能な出力電圧（第２の直流電圧（Ｖ２））の調整範囲の拡大を図ることができる。
【００５８】
第８の態様に係る照明システム（５）は、第７の態様との組合せにより実現され得る。第８の態様に係る照明システム（５）において、複数の照明負荷は、給電路の第２端に電気的に直列接続されることが好ましい。複数の照明負荷の各々は、複数の固体光源（ＬＥＤ４１）を有することが好ましい。複数の照明負荷のうちの一部の照明負荷は、複数の固体光源のうちの一部の固体光源が電気的に直列接続された固体光源モジュール（ＬＥＤモジュール４０）を複数有することが好ましい。複数の固体光源モジュールが電気的に並列接続されていることが好ましい。
【００５９】
第８の態様に係る照明システム（５）は、複数の照明負荷のそれぞれの定格電圧を変えずに各照明負荷から放射される光束を増加させることができる。
【符号の説明】
【００６０】
１  電源装置
２  直流変換部
３  制御部
４  照明器具（照明負荷）
５  照明システム
６  電源ケーブル（給電路）
７  電力系統
１３  交直変換部
２０  共振形コンバータ
２１  巻数比調整部
４０  ＬＥＤモジュール（固体光源モジュール）
４１  ＬＥＤ（固体光源）
Ｔ１  変圧器
Ｎ２１  第１出力巻線（出力巻線）
Ｎ２２  第２出力巻線（出力巻線）
Ｎ２３  第３出力巻線（出力巻線）
Ｘ１  第１タップ（タップ）
Ｘ２  第２タップ（タップ）
Ｘ３  第３タップ（タップ）
ＤＢ  整流回路
ｆ  動作周波数
ｆ２  第２周波数（上限の周波数）
Ｖ１  第１の直流電圧
Ｖ２  第２の直流電圧
【図１】
2020107434.tif 000003
【図２】
2020107434.tif 000004
【図３】
2020107434.tif 000005
【図４】
2020107434.tif 000006
【図５】
2020107434.tif 000007
【図６】
2020107434.tif 000008
【図７】
2020107434.tif 000009
【図８】
2020107434.tif 000010